(57)【要約】【課題】  電装部品を筐体内の空気が流通する箇所とは別の箇所に隔離しメンテナンスの容易化を図ることができるように工夫した空気調和機の室内機を提供すること。【解決手段】  筐体と、筐体の下面中央部に設けられた吸込部と、上記筐体の上記吸込部の外周側に設けられた吹出部と、上記筐体内であって上記吸込部の上方に設置された送風ファンと、上記筐体内であって上記吸込部と上記吹出部の間に設けられたた熱交換器と、上記筐体内に同芯状に配置され内側を空気流通部とし外側を電装部品収納部とするケーシングと、を具備したもの。【選択図】  図４
2017207267.tif 000002
【特許請求の範囲】
【請求項１】
筐体と、
筐体の下面中央部に設けられた吸込部と、
上記筐体の上記吸込部の外周側に設けられた吹出部と、
上記筐体内であって上記吸込部の上方に設置された送風ファンと、
上記筐体内であって上記吸込部と上記吹出部の間に設けられたた熱交換器と、
上記筐体内に同芯状に配置され内側を空気流通部とし外側を電装部品収納部とするケーシングと、
を具備したことを特徴とする空気調和機の室内機。
【請求項２】
請求項１記載の空気調和機の室内機において、
上記ケーシングはその側壁が略円弧形状をなしていることを特徴とする空気調和機の室内機。
【請求項３】
請求項１又は請求項２記載の空気調和機の室内機において、
上記ケーシングの上記電装部品収納部側には断熱処理が施されていることを特徴とする空気調和機の室内機。
【請求項４】
請求項１〜請求項３の何れかに記載の空気調和機の室内機において、
上記吸込部と上記吹出部は吸込・吹出ユニットとしてユニット化されていて、この吸込・吹出ユニットが上記筐体に対して着脱可能に構成されていることを特徴とする空気調和機の室内機。
【請求項５】
請求項４記載の空気調和機の室内機において、
上記吸込・吹出ユニットは上記筐体から直接又は間接に垂下されていることを特徴とする空気調和機の室内機。
【請求項６】
請求項５記載の空気調和機の室内機において、
上記送風ファンは上記筐体から直接又は間接に垂下されていることを特徴とする空気調和機の室内機。
【発明の詳細な説明】
【技術分野】
【０００１】
本発明は、例えば、天井埋込型の空気調和機の室内機に係り、特に、電装部品を筐体内の空気が流通する箇所とは別の箇所に隔離しメンテナンスの容易化を図ることができるように工夫したものに関する。
【背景技術】
【０００２】
天井埋込型の空気調和機の室内機の構成を開示するものとして、例えば、特許文献１がある。
この特許文献１における天井埋込型空気調和機には、まず、天井裏に埋設される空気調和機本体がある。この空気調和機本体内にはターボファンが設置されており、このターボファンを囲むように略Ｃ字形状の熱交換器が設置されている。上記空気調和機本体の下面中央部には本体吸込口が設けられており、この本体吸込口の外周側には本体吹出口が設けられている。また、上記空気調和機本体の下側には化粧パネルが設置され、この化粧パネルの上記本体吸込口に対応した位置に吸込グリルが設けられ、上記本体吹出口に対応する位置にはパネル吹出口が設けられている。
【０００３】
上記ターボファンを回転させると、上記吸込グリル及び上記本体吸込口を介して空気が上記空気調和機本体内に吸い込まれ、上記熱交換器を通過して加熱又は冷却され、上記本体吹出口及びパネル吹出口から吹き出される。
上記本体吹出口又は上記パネル吹出口には上下風向ベーンが設置されていて、放出される上記空気の上下方向の向きを制御している。
【先行技術文献】
【特許文献】
【０００４】
【特許文献１】特開２００５−２４９３２８号公報
【発明の概要】
【発明が解決しようとする課題】
【０００５】
上記従来の構成によると次のような問題があった。
すなわち、空気調和機本体内の空気が流通される箇所に電気品箱が設置されており、例えば、上記空気調和機本体内の掃除を行う場合、電気配線の取り外し等の作業を行なわなければならず、メンテナンスが面倒であるという問題があった。
【０００６】
本発明は、このような点に基づいてなされたもので、その目的とするところは、電装部品を筐体内の空気が流通する箇所とは別の箇所に隔離しメンテナンスの容易化を図ることができる空気調和機の室内機を提供することにある。
【課題を解決するための手段】
【０００７】
上記目的を達成するべく本発明の請求項１による空気調和機の室内機は、筐体と、筐体の下面中央部に設けられた吸込部と、上記筐体の上記吸込部の外周側に設けられた吹出部と、上記筐体内であって上記吸込部の上方に設置された送風ファンと、上記筐体内であって上記吸込部と上記吹出部の間に設けられたた熱交換器と、上記筐体内に同芯状に配置され内側を空気流通部とし外側を電装部品収納部とするケーシングと、を具備したことを特徴とするものである。
また、請求項２による空気調和機の室内機は、請求項１記載の空気調和機の室内機において、上記ケーシングはその側壁が略円弧形状をなしていることを特徴とするものである。
また、請求項３による空気調和機の室内機は、請求項１又は請求項２記載の空気調和機の室内機において、上記ケーシングの上記電装部品収納部側には断熱処理が施されていることを特徴とするものである。
また、請求項４による空気調和機の室内機は、請求項１〜請求項３の何れかに記載の空気調和機の室内機において、上記吸込部と上記吹出部は吸込・吹出ユニットとしてユニット化されていて、この吸込・吹出ユニットが上記筐体に対して着脱可能に構成されていることを特徴とするものである。
また、請求項５による空気調和機の室内機は、請求項４記載の空気調和機の室内機において、上記吸込・吹出ユニットは上記筐体から直接又は間接に垂下されていることを特徴とするものである。
また、請求項６による空気調和機の室内機は、請求項５記載の空気調和機の室内機において、上記送風ファンは上記筐体から直接又は間接に垂下されていることを特徴とするものである。
【発明の効果】
【０００８】
以上述べたように本発明の請求項１による空気調和機の室内機によると、筐体と、筐体の下面中央部に設けられた吸込部と、上記筐体の上記吸込部の外周側に設けられた吹出部と、上記筐体内であって上記吸込部の上方に設置された送風ファンと、上記筐体内であって上記吸込部と上記吹出部の間に設けられたた熱交換器と、上記筐体内に同芯状に配置され内側を空気流通部とし外側を電装部品収納部とするケーシングと、を具備した構成になっているので、空気流通部と隔離された電装部品収納部に電装部品を収納でき、これにより、空気流通部側の掃除等のメンテナンスの容易化和図ることができる。また、上記空気流通部内に電装部品が設置されていないため、空気流の流動抵抗を低減させることができるとともに騒音を低減させることができる。
また、請求項２による空気調和機の室内機によると、請求項１記載の空気調和機の室内機において、上記ケーシングはその側壁が略円弧形状をなしているので、それによっても、空気流の流動抵抗を低減させることができるとともに騒音も低減させることができる。
また、請求項３による空気調和機の室内機によると、請求項１又は請求項２記載の空気調和機の室内機において、上記ケーシングの上記電装部品収納部側には断熱処理が施されているので、電装部品収納部側における結露を防止することができる。
また、請求項４による空気調和機の室内機によると、請求項１〜請求項３の何れかに記載の空気調和機の室内機において、上記吸込部と上記吹出部は吸込・吹出ユニットとしてユニット化されていて、この吸込・吹出ユニットが上記筐体に対して着脱可能に構成されているので、メンテナンス時の分解作業を容易化することができる。
また、請求項５による空気調和機の室内機によると、請求項４記載の空気調和機の室内機において、上記吸込・吹出ユニットは上記筐体から直接又は間接に垂下されているので、上記吸込・吹出ユニットの着脱を容易にし、メンテナンスの容易化を図ることができる。
また、請求項６による空気調和機の室内機によると、請求項５記載の空気調和機の室内機において、上記送風ファンは上記筐体から直接又は間接に垂下されているので、上記送風ファンの着脱を容易にし、メンテナンスの容易化を図ることができる。
【図面の簡単な説明】
【０００９】
【図１】本発明の一実施の形態を示す図で、空気調和機の全体の構成を模式的に示す図である。
【図２】本発明の一実施の形態を示す図で、空気調和機の機能ブロック図である。
【図３】本発明の一実施の形態を示す図で、空気調和機の室内機を下側からみた斜視図である。
【図４】本発明の一実施の形態を示す図で、図３のＩＶ−ＩＶ断面図である。
【図５】本発明の一実施の形態を示す図で、空気調和機の室内機の筐体を取り外した状態の平面図である。
【図６】本発明の一実施の形態を示す図で、空気調和機の室内機の分解斜視図である。
【図７】本発明の一実施の形態を示す図で、熱交換器の上側断熱材と下側断熱材を除去した状態の斜視図である。
【図８】本発明の一実施の形態を示す図で、熱交換器の上側断熱材と下側断熱材を除去した状態の平面図である。
【図９】本発明の一実施の形態を示す図で、図４のＩＸ−ＩＸ断面図であり、上部プレートを除去した状態を示す図である。
【図１０】本発明の一実施の形態を示す図で、空気調和機の室内機の吸込・吹出ユニットを一部分解して示す斜視図である。
【図１１】本発明の一実施の形態を示す図で、図１１（ａ）は図４のＸＩａ部の拡大図、図１１（ｂ）は図４のＸＩｂ部の拡大図である。
【図１２】本発明の一実施の形態を示す図で、図１２（ａ）は空気調和機の室内機の底面図であって吹出回転体が原点に復帰している状態を示す図、図１２（ｂ）は空気調和機の室内機の底面図であって吹出回転体を反時計回り方向に９０°回転させた状態を示す図である。
【図１３】本発明の一実施の形態を示す図で、空気調和機の室内機の吹出口から空気調和機が設置された部屋の隅までの距離の算出を説明するための図である。
【図１４】本発明の一実施の形態を示す図で、空気調和機の室内機の吹出口の周方向位置に基づいて室内機送風ファン駆動モータの回転数及びルーバ角度を制御する作用を説明するためのフローチャートである。
【発明を実施するための形態】
【００１０】
以下、図１乃至図１４を参照して本発明の一実施の形態について説明する。空気調和機１は、図１、図２に示すように、室内機３と室外機５とから構成されている。
【００１１】
まず、上記室内機３の構成について説明する。上記室内機３は、図３、図４に示すように、部屋６の天井６ａ内に埋め込まれており、まず、筐体７がある。この筐体７は、有底円筒を逆向きにした形状をなしていて、天板７ａと、円筒状側板７ｂとから構成されており、下端は下端開口部７ｃとなっている。このような構成をなす筐体７は、複数本の吊り下げ部材８を介して、図示しない天井構造物から吊り下げられている。また、上記下端開口部７ｃ付近（図４中下側）には、吹出回転体駆動モータ取付部９が設けられている。
【００１２】
上記筐体７内の天板７ａには、例えば、図４に示すように、室内機送風ファン駆動モータ１３が取り付けられている。この室内機送風ファン駆動モータ１３の出力軸１５には室内機送風ファン１７が固着されている。すなわち、上記室内機送風ファン駆動モータ１３の出力軸１５の先端側は縮径されているとともに、横断面において円形の対向する両端部を切除した略矩形形状になっていて、室内機送風ファン取付部１５ａとなっている。この室内機送風ファン取付部１５ａの先端側には、更に縮径され外周側に雄ねじが形成された雄ねじ部１８が突出・形成されている。一方、上記室内機送風ファン１７の中央にはボス１６が設けられている。上記室内機送風ファン１７は、このボス１６に上記室内機送風ファン取付部１５ａを挿通させ、上記雄ネジ部１８にナット２０をワッシャ２２を介して螺合させることにより、上記室内機送風ファン駆動モータ１３に固定されている。上記ワッシャ２２の貫通孔は上記室内機送風ファン取付部１５ａの横断面形状に合わせて略矩形形状になっており、また、上記ワッシャ２２の両端は上記ボス１６の対向配置された一対の凹部に嵌合することになる。このような構成により、室内機送風ファン１７は、出力軸１５に対して、軸方向及び回転方向に一体化されることになる。
なお、上記ナット２０の螺合方向は上記室内機送風ファン駆動モータ１３の回転方向の逆向きになっている。
また、例えば、図４に示すように、上記室内機送風ファン駆動モータ１３には、取付用フランジ部１３ａが設けられており、上記室内機送風ファン駆動モータ１３は、複数本のボルト１２を上記取付用フランジ部１３ａと上記筐体７の天板７ａに設けられた貫通孔を通して、天板７ａの図４中上側に溶接されたナット１４に螺合させることにより、筐体７に固定されている。
【００１３】
また、図４乃至図６に示すように、上記室内機送風ファン１７の外周側には、室内機送風ファン１７を全周にわたって取り囲むように熱交換器１９が設置されている。この熱交換器１９は、図４、図７に示すように、八角形のフィン２１を複数枚（この一実施の形態の場合には１６枚）所定の隙間を存した状態で鉛直方向に積層させるとともに、最上位と最下位に同じく八角形であって若干大きめの取付板２１′、２１′を積層させ、そこに冷媒用配管２３を貫通させながら連結した構成になっている。上記フィン２１と取付板２１′は図４中上下方向に積層されており、上記冷媒用配管２３は、上記フィン２１と取付板２１′の積層方向（図４中上下方向）に沿って延長され、適宜屈曲・反転されて連結・配置されている。
【００１４】
上記フィン２１は、図７、図８に示すように、３個のフィン要素２１ａ、２１ｂ、２１ｃを連接することにより八角形の１／４が構成され、それを４組連接することにより構成されている。同様に、上記取付板２１′も、取付板要素２１′ａ、２１′ｂ、２１′ｃを連接することにより八角形の１／４が構成され、それを４組連接することにより構成されている。
上記フィン２１は、例えば、アルミニウム製であり、上記取付板２１′は、例えば、亜鉛鍍金鋼板製である。
なお、上記フィン要素２１ａ、２１ｂ、２１ｃは、例えば、本件特許出願人による特許第５８７１４１５号による「熱交換器の製造方法」により製造される。すなわち、所定長さのフィン材の両端に斜めに切り込みを入れて上記３個のフィン要素２１ａ、２１ｂ、２１ｃに分断し、両端のフィン要素２１ａ、２１ｃを反転させて八角形の１／４とするものである。また、上記取付板要素２１′ａ、２１′ｂ、２１′ｃは、コイル状に巻回されている亜鉛鍍金鋼板を引き出し、所定の穿孔、切断等を施すことにより製造される。
【００１５】
また、上記冷媒用配管２３は、複数本のＵ字管とこれら複数本のＵ字管を連結する複数個の屈曲管とから構成されている。又、上記冷媒用配管２３の両端は冷媒流入部３１ａ、冷媒流出部３１ｂとなっていて、図４、図５、図７に示すように、これら冷媒流入部３１ａ、冷媒流出部３１ｂは、最上位の取付板２１′を貫通し図中真上に指向した状態で突出・配置されている。そして、図１、図４に示すように、上記冷媒流入部３１ａ、冷媒流出部３１ｂは、上記筐体７の図４中上側の面を貫通して、筐体７の外側に突出・配置されている。また、上記フィン要素２１ａ、２１ｂ、２１ｃには、上記冷媒用配管２３によって貫通される図示しない貫通孔が形成されており、この貫通孔の縁部には穿孔時に発生するバーリング３０が形成されている。上記バーリング３０によって、上記フィン要素２１ａ、２１ｂ、２１ｃが所定の隙間を存した状態で積層されることになる。
なお、上記冷媒用配管２３のＵ字管の外径は、取付前は、上記フィン要素２１ａ、２１ｂ、２１ｃや取付板要素２１′ａ、２１′ｂ、２１′ｃに形成される貫通孔に対して僅かに小さなものとなっている。これらフィン要素２１ａ、２１ｂ、２１ｃや取付板要素２１′ａ、２１′ｂ、２１′ｃに形成される貫通孔に上記冷媒用配管２３のＵ字管の直線部分を通した後、その内部に図示しない拡管治具を挿入することにより拡径され、それによって、上記冷媒用配管２３が上記フィン要素２１ａ、２１ｂ、２１ｃや取付板要素２１′ａ、２１′ｂ、２１′ｃと一体化されることになる。
【００１６】
また、図４に示すように、上記熱交換器１９の下側には下側断熱材２５ａが設置されている。この下側断熱材２５ａは、上記冷媒用配管２３の下側の屈曲管を覆っている。上記下側断熱材２５ａは、複数本のボルト２６を下側から上記下側断熱材２５ａと上記最下位の取付板２１′に形成された貫通孔を通して、ナット２７に螺合させることにより、熱交換器１９に固定されている。
また、図４に示すように、上記熱交換器１９の上側には上側断熱材２５ｂが設置されている。この上側断熱材２５ｂは、上記冷媒用配管２３の上側の屈曲管を覆っている。上記上側断熱材２５ｂは、複数本のボルト２６を下側から上記最上位の取付板２１′と上記上側断熱材２５ｂに形成された貫通孔を通して、ナット２７に螺合させることにより、熱交換器１９に固定されている。
また、図４に示すように、上記上側断熱材２５ｂは、複数本のボルト２８を上側から上記筐体７の天板７ａと上記上側断熱材２５ｂに形成された貫通孔を通して、ナット２９に螺合させることにより、上記筐体７に固定されている。すなわち、上記熱交換器１９は、上記上側断熱材２５ｂを介して上記筐体７に固定されている。
【００１７】
また、図４に示すように、上記フィン２１と取付板２１′は外側に向かって、例えば、２°の下り勾配で傾斜されている。
また、上記熱交換器１９の下側にはドレンパン３３が設置されている。このドレンパン３３にはドレンパイプ３３ａの一端側が連結されている。このドレンパイプ３３ａの他端は、図１に示すように、後述するケーシング３５と上記筐体７に形成された貫通孔を通して、ドレンポンプ３３ｂに接続されている。
なお、本実施の形態の場合には、図１に示すように、ドレンポンプ３３ｂを筐体７の外側に設置しているが、筐体７内に内装しても良い。
上記ドレンパン３３には上記熱交換器１９の表面で結露した水が流れ込んで溜る。上記ドレンパン３３に溜った水は上記ドレンポンプ３３ｂとドレンパイプ３３ａにより、上記室内機３の外部に排出される。
【００１８】
また、上記熱交換器１９の外周側には、ケーシング３５が設置されている。このケーシング３５の内側が空気流通部３７となっていて、ケーシング３５の外側、すなわち、ケーシング３５と筐体7との間が電装部品収納部４０となっている。上記ケーシング３５は、例えば、図４、図６に示すように、ケーシング用フレーム３８とともに上記筐体7に取り付けられている。上記ケーシング用フレーム３８の横断面形状は、図４に示すように、コ字形状をなしている。上記ケーシング３５と上記ケーシング用フレーム３８は、図４に示すように、複数本のボルト３９を、後述する吊り下げ部材１１１と上記ケーシング３５と上記ケーシング用フレーム３８及び上記筐体７の天板７ａに形成された貫通孔を通して、上記天板７ａの図４中上側に溶接されたナット４１に螺合させることにより、筐体７に固定されている。
また、上記ケーシング３５の電装部品収納部４０側の表面には、図示しない断熱材が設置されている。
【００１９】
上記空気流通部３７内には、上記室内機送風ファン１７、上記室内機送風ファン駆動モータ１３、上記熱交換器１９、及び、ドレンパン３３が設置されている。上記電装部品収納部４０には、図２に示す室内機制御部４２、図示しない電源装置、等が収容されている。
【００２０】
上記筐体７の図４中下側には、吸込・吹出ユニット４３が設置されている。この吸込・吹出ユニット４３は略円板形状をなしていて、図９、図１０に示すように、中央に設置された吸込部４５と、この吸込部４５の外周側に設置された吹出部４９と、これら吸込部４５と吹出部４９を一体化させている上部プレート５１とから構成されている。そして、室内機３が天井６ａ内に埋設された際、この吸込・吹出ユニット４３が天井６ａの下側に露出されるようになっている。以下、詳しく説明する。
【００２１】
上記吸込部４５は、図４、図９、図１０に示すように、環状板４６を備えていて、この環状板４６の外周側の上側縁部が段付きに形成されていて、この部分が吹出回転体内側支持部５３となっている。この吹出回転体内側支持部５３には、複数個（この一実施の形態の場合は４個）の転がり支持部材５５が周方向等間隔に埋設されている。これら転がり支持部材５５は、転がり支持部材本体５５ａと転がり支持部材本体５５ａに転動可能に設置された球体５５ｂとから構成されている。
また、図４に示すように、上記環状板４６の内側は吸込口５７となっており、この吸込口５７の図４中上側はフィルタ設置部５９となっている。上記吸込口５７の図４中下側には、グリル６１が設置されていて、このグリル６１は、放射状に延長された複数本の直線リブと同心円状に設置された複数個の環状リブとから構成されている。このグリル６１の中央には、室内機３を水平に設置するために用いる水準器６２が設置されている。また、上記フィルタ設置部５９には、フィルタ６３が設置されている。
【００２２】
次に、吹出部４９の構成を説明する。まず、環状板４７が設置されていて、上記吸込部４５の環状板４６の上側縁部と同様に、上記環状板４７の内周側の上側縁部が段付きに形成されており、この部分が吹出回転体外側支持部７１となっている。この吹出回転体外側支持部７１にも、複数個（この一実施の形態の場合は４個）の転がり支持部材５５が周方向等間隔に埋設されている。
また、上記環状板４７には、図１０に示すように、駆動ピニオンギア収容凹部７３が設けられており、この駆動ピニオンギア収容凹部７３は、図１０中上側と吹出回転体外側支持部７１側に開口されている。
【００２３】
また、上記吹出部４９には、吹出回転体５０が設置されていて、この吹出回転体５０は、図９、図１０に示すように、略リング形状を成していて、上端外周には外側フランジ部７５が形成されている。この外側フランジ部７５の外周面には、ラックギア７７が形成されている。また、上記外側フランジ部７５の下面には、外側環状溝７９が形成されており、この外側環状溝７９に、上記環状板４７に設置された転がり支持部材５５の球体５５ｂが係合されている。
また、上記吹出回転体５０の上端内周には内側フランジ部８１が形成されている。この内側フランジ部８１の下面には内側環状溝８３が形成されており、この内側環状溝８３に、上記吸込部４５に設置された転がり支持部材５５の球体５５ｂが係合されている。
上記吹出回転体５０は、上記環状板４７に設置された転がり支持部材５５と上記環状板４６に設置された転がり支持部材５５によって回転可能に支持されている。
【００２４】
また、上記吹出回転体５０の外側フランジ部７５の下面には、図１１に示すように、環状のパッキン７８ａが埋設されている。このパッキン７８ａは、上記吹出回転体５０が回転される際、上記環状板４７の吹出回転体外側支持部７１に埋設された環状の摺動部材８０ａに対して摺動されるように配置されている。
また、上記吹出回転体５０の内側フランジ部８１の下面にも、図１１に示すように、環状のパッキン７８ｂが埋設されている。このパッキン７８ｂも、上記吹出回転体５０が回転される際、上記環状板４６の吹出回転体内側支持部５３に埋設された環状の摺動部材８０ｂに対して摺動されるように配置されている。
これらパッキン７８ａ、７８ｂによって気密を保持している。
【００２５】
また、上記吹出回転体５０には吹出口８５が設けられている。この吹出口８５は、例えば、図３に示すように、平面視９０°の範囲で円弧状に設けられている。また、図４に示すように、その縦断面形状をみると、空気が滑らかに外側に向かって吹き出されるように円弧状に形成されている。また、上記吹出口８５は、上記吹出回転体５０が回転されることにより、周方向の任意の位置に位置され、それによって、周方向の任意の位置から空気が吹き出されることになる。また、上記吹出口８５内には、ルーバ８７が設置されている。このルーバ８７は、図２に示すルーバ駆動モータ８９によって回動されて、その傾斜角度が変更されるようになっている。これにより、上記吹出口８５から吹き出される空気の上下方向の向きを変えることができる構成になっている。
なお、上記ルーバ駆動モータ８９は、例えば、上記吹出部４９に内装された図示しない蓄電池から供給される電力によって駆動され、この図示しない蓄電池の充電は、例えば、環状板４７に内装された、図示しない非接触充電装置によって行われる。
【００２６】
また、図３に示すように、上記環状板４７の下側には、風力インジケータ６５ａ、６５ｂ、６５ｃ、６５ｄが、周方向等間隔で４箇所に設置されている。上記風力インジケータ６５ａ、６５ｂ、６５ｃ、６５ｄは、それぞれ、複数個（この一実施の形態の場合は４個）のＬＥＤ６７ａ、６７ｂ、６７ｃ、６７ｄを放射方向に並べて構成されている。そして、これらＬＥＤ６７ａ、６７ｂ、６７ｃ、６７ｄの点灯数により風力を表示する。また、何れの風力インジケータ６５ａ、６５ｂ、６５ｃ、６５ｄを点灯させるかにより風向を表示する。
【００２７】
また、図１２に示すように、上記環状板４７の下側には、原点表示部９０ａが設けられており、一方、上記吹出回転体５０の下側には、原点合わせ用表示部９０ｂが設けられている。上記原点表示部９０ａに、上記原点合わせ用表示部９０ｂを一致させることにより、上記吹出回転体５０の原点復帰を確認することができる。
【００２８】
上記上部プレート５１は、図１０に示すように、上記環状板４７に固着されるリング形状の外周側固定部９１と、上記環状板４６に固着されるリング形状の内側固定部９３と、上記外側固定部９１と上記内側固定部９３とを一体化する複数個（この一実施の形態の場合は８個）のリブ９５とから構成されている。上記外周側固定部９１には、上記環状板４７の駆動ピニオンギア収容凹部７３に対応したピニオンギア用貫通孔９６が形成されている。上記リブ９５は、細い棒状を成しており、空気の流通を妨げないようになっている。
【００２９】
また、図４に示すように、上記吸込部４５には、ベルマウス９８が設置されている。このベルマウス９８は、略ラッパ形状を成しており、図４中その下端側は外周側に向かって屈曲されて、取付部９８ａとなっている。上記環状板４６の内側の上端側が段付きに形成されていて、ベルマウス取付部９８ｂとなっている。上記ベルマウス９８は、上記取付部９８ａを上記上部プレート５１と上記ベルマウス取付部９８ｂの間に挟持されることで固定されている。また、上記ベルマウス９８の上端部は、上記上部プレート５１の内側固定部９３の内側を通してファン１７側（図４中上側）へと突出されている。
【００３０】
また、図４、図１１（ａ）に示すように、筐体７の吹出回転体駆動モータ取付部９には、防水仕様の吹出回転体駆動モータ９９が設置されている。この吹出回転体駆動モータ９９の出力軸９９ａの先端側には、ピニオンギア１０１が固着されている。上記吹出回転体駆動モータ取付部９には貫通孔１０２が形成されていて、上記吹出回転体駆動モータ９９の出力軸９９ａはこの貫通孔１０２と上記上部プレート５１のピニオンギア用貫通孔９６を貫通している。また、上記駆動ピニオンギア１０１は上記環状板４７のピニオンギア収容凹部７３内に収容・配置されている。また、上記駆動ピニオンギア１０１は、上記吹出回転体５０のラックギア７７に噛合されている。上記吹出回転体５０のラックギア７７の上下縁部は面取りされてテーパ形状となっている。また、上記ピニオンギア１０１の上下縁部も面取りされてテーパ形状となっている。これにより、上記吸込口・吹出口ユニット４３を取り付ける際、上記駆動ピニオンギア１０１と上記吹出回転体５０のラックギア７７を噛合させ易くなっている。
上記吹出回転体駆動モータ９９により、上記吹出回転体５０を回転させることにより、吹出口８５を室内機３の周方向の任意の位置に位置させることができる。例えば、吹出回転体５０が、図１２（ａ）に示すように、原点位置にある場合は、吹出口８５は図１２（ａ）中上側に位置しているが、図１２（ｂ）に示すように、吹出回転体５０を、図中反時計方向に９０゜回転させることにより、吹出口８５を図１２中左側に位置させることができる。
また、上記吹出回転体駆動モータ９９には、出力軸９９ａの回転数を検出するエンコーダ１０４が設置されている。このエンコーダ１０４によって検出される上記出力軸９９ａの回転数に基づいて、上記吹出回転体５０の回転角度を算出し、それに基づいて、吹出口８５の周方向位置を割り出す。
【００３１】
次に、図１３を参照して、吹出口８５から部屋の壁までの距離の算出について説明する。
尚、一例として、部屋の縦寸法を２ｄｈ、横寸法を２Ｗｈとする。
まず、図１３において、吹出回転体５０が原点から反時計方向にθ°（０°から角まで）だけ回転した場合には、上記吹出口８５から上記部屋６の壁までの距離（ｌ）は、次の式（Ｉ）、（ＩＩ）に示すようなものとなる。
ｌ＝ｌｓ―ｌ０―――（Ｉ）
2017207267.tif 000003
―――（ＩＩ）
ただし、
ｌ  ：吹出口から部屋６の壁までの距離
ｄｈ ：部屋６の縦寸法の半分
ｌ０ ：室内機３の中心から吹出口８５までの距離
ｌｓ  ：室内機３の中心から部屋６の壁までの距離
θ°：０〜部屋６の角（図１３中左上の角）まで
次に、図１３において、吹出回転体５０が原点から反時計方向にθ°（角から９０°まで）だけ回転した場合には、上記吹出口８５から上記部屋６の壁までの距離（ｌ）は、次の式（ＩＩＩ）、（ＩＶ）に示すようなものとなる。
ｌ＝ｌｓ―ｌ０―――（ＩＩＩ）
2017207267.tif 000004
―――（ＩＶ）
ただし、
ｌ  ：吹出口から部屋６の壁までの距離
Ｗｈ ：部屋６の横寸法の半分
ｌ０ ：室内機３の中心から吹出口８５までの距離
ｌｓ  ：室内機３の中心から部屋６の壁までの距離
θ°：部屋６の角（図１３中左上の角）〜９０°まで
なお、θが０°〜９０°までを例に挙げて説明したが、残りの９０°〜３６０°の間についても同様の理屈により距離の算出は可能である。
【００３２】
本実施の形態においては、空気調和機１を部屋６内に設置した初期のタイミンクで、例えば、後述するリモコン１２５を使用して、部屋６の縦寸法／横寸法を入力する。それによって、吹出回転体５０の回転角度（例えば、５°毎、或いは、１０°毎）、つまり、吹出口８５の周方向位置に応じた距離が自動的に算出される。
また、上記算出された距離に応じた室内機送風ファン駆動モータ１３の回転数とルーバ８７の角度が決定・記憶される。
なお、室内機送風ファン駆動モータ１３の回転数とルーバ８７の角度の決定に際しては、その距離において、部屋６の壁まで冷気／暖気を届けることができるか否かが目安となる。つまり、距離が大きくなれば、室内機送風ファン駆動モータ１３の回転数を大きくし、ルーバ角度はより水平に近いものとする。逆に、距離が小さくなれば、室内機送風ファン駆動モータ１３の回転数を小さくし、ルーバ角度をより垂直に近いものとする。
【００３３】
また、上記吸込口・吹出口ユニット４３は、吊り下げ部材１１１、１１１、１１１、１１１を介して、筐体７から垂下されている。図４に示すように、これら吊り下げ部材１１１の上端側は、前記したように、ボルト３９を上記吊り下げ部材１１１とケーシング用フレーム３８と上記筐体７に形成された貫通孔を通して、上記筐体７の上面（図４中上側の面）に、例えば、溶接によって固定されたナット４１に螺合させることにより固定されている。
また、上記吊り下げ部材１１１の下端側は、図１１に示すように、ボルト１１７を上記吸込口・吹出口ユニット４３の吸込部４５と上部プレート５１と上記吊り下げ部材１１１に形成された貫通孔を通して、上記吊り下げ部材１１１の下端側に溶接されたナット１１９に螺合させることにより固定されている。
また、下側の上記ボルト１１７を取り外すことにより、上記吸込口・吹出口ユニット４３を、上記吊り下げ部材１１１、１１１、１１１、１１１ひいては上記筐体７から取り外すことができる構成になっている。また、上記ドレンパン３３は、上記吸込口・吹出口ユニット４３に固定されており、上記吸込口・吹出口ユニット４３とともに取り外すことができる。
【００３４】
次に、上記室外機５の構成について説明する。図１に示すように、上記室外機５にはコンプレッサ１３９と室外機送風ファン１３６が設置されていて、上記コンプレッサ１３９には、室外機側冷媒流入管１３３と室外機側冷媒流出管１３５が接続されている。上記室外機側冷媒流入管１３３と室内機３の熱交換器１９の冷媒流出部３１ａが連結されており、上記室外機側冷媒流出管１３５と室内機３の熱交換器１９の冷媒流入部３１ｂが連結されている。
そして、冷媒１３７が、上記熱交換器１９の冷媒用配管２３、室外機側冷媒流入管１３３、室外機１３１内、及び、室外機側冷媒流入管１３５内を循環している。
また、上記コンプレッサ１３９にはコンプレッサ駆動モータ１６３が設置されており、上記室外機送風ファン１３６には室外機送風ファン駆動モータ１３８が設置されている。
なお、それ以外に図示しない熱交換器が設置されている。
【００３５】
次に、図２を参照して、制御の為の構成を説明する。
まず、室内機３側であるが、既に説明した室内機制御部４２があり、リモコン１２５を介して入力された情報は、リモコン用通信回路１２６を介して、この室内機制御部４２に入力され、必要に応じてメモリ１２８に記憶される。また、温度センサ１２１の検出信号も上記室内機制御部４２に入力され、必要に応じてメモリ１２８に記憶される。また、上記室内機３を設置した際に入力される部屋６の縦寸法／横寸法や、これらに基づいて算出される吹出口８５の周方向位置に応じた上記吹出口８５から上記部屋６の隅までの距離や、吹出口８５の周方向位置に応じた室内機送風ファン駆動モータ１３の回転数、ルーバ８７の角度も上記メモリ１２８に記憶される。
【００３６】
また、上記室内機制御部４２には、吹出回転体駆動モータ制御回路１３０、室内機送風ファン駆動モータ制御回路１３２、ルーバ駆動モータ制御回路１３４、距離算出回路１６４、室内機送風ファン駆動モータ回転数・ルーバ角度決定回路１６６、等が設けられている。
そして、例えば、リモコン１２５の操作により、「吹出回転体回転運転モード」が選択された場合には、上記室内機制御部４２は、上記吹出回転体駆動モータ制御回路１３０によって、吹出回転体駆動モータ駆動回路１４０を介して、吹出回転体駆動モータ９９を「オン」にする。
同時に、上記室内機制御部４２は、エンコーダ１０４から位置検出信号に基づいて、上記室内機送風ファン駆動モータ制御回路１３２によって、室内機送風ファン駆動モータ駆動回路１４２を介して、室内機送風ファン駆動モータ１３の回転数を制御する。
また、上記ルーバ駆動モータ制御回路１３４によって、ルーバ駆動モータ駆動回路１４４を介して、ルーバ駆動モータ８９を制御する。
尚、室内機３側には室内機側通信回路１４６が設置されている。
【００３７】
一方、室外機５側をみると、まず、室外機制御部１５０が設置されていて、上記室内機３側からの信号は、室外機側通信回路１５２を介して、この室外機制御部１５０に入力される。上記室外機制御部１５０には、室外機送風ファン駆動モータ制御回路１５４、コンプレッサ駆動モータ制御回路１６０、等が設置されている。
そして、上記室外機制御部１５０は、上記室内機制御部４２からの信号に基づいて、室外機送風ファン駆動モータ制御回路１５４によって、室外機送風ファン駆動モータ駆動回路１５６を介して、室外機送風ファン駆動モータ１５８の回転数（或いはＯＮ／ＯＦＦ）を制御する。
同様に、コンプレッサ駆動モータ制御回路１６０によって、コンプレッサ駆動モータ駆動回路１６２を介して、コンプレッサ駆動モータ１３９の回転数（或いはＯＮ／ＯＦＦ）を制御する。
【００３８】
なお、前述したように、本実施の形態の場合には、「吹出回転体向回転モード」において、吹出口８５の周方向位置によって、室内機送風ファン駆動モータ１３の回転数、ルーバ８７の角度を制御するようしているが、併せて、コンプレッサ駆動モータ１３９の回転数（或いはＯＮ／ＯＦＦ）、室外機送風ファン駆動モータ１５８の回転数（或いはＯＮ／ＯＦＦ）を制御することも考えられる。この場合には、風量、風向だけでなく、冷気／暖気の温度についても制御することになる。
また、本実施の形態の場合には、吹出口８５の周方向位置に応じて室内機送風ファン駆動モータ１３の回転数、ルーバ８７の角度を決定・記憶するようにしているが、その際、室内機送風ファン駆動モータ１３の回転数、ルーバ８７の角度を段階的に決定・記憶することも考えられる。例えば、風力弱〜風力強の間で室内機送風ファン駆動モータ１３の回転数が、例えば、５段階に設定されていて、距離に応じて適切な段階を選択・決定・記憶するものである。ルーバ８７の角度についても同様であり、水平〜垂直の間で角度が、例えば、５段階に設定されていて、距離に応じて適切な段階を選択・決定・記憶するものである。
【００３９】
なお、冷房・暖房の強度を小さくする場合はコンプレッサ駆動モータ１６３や室外機送風ファン１３６の回転数を小さくし、冷房・暖房の強度を大きくする場合は場合にはコンプレッサ駆動モータ１６３や室外機送風ファン１３６の回転数を上げるような制御を行う。
【００４０】
以上の構成を基に、その作用を説明する。
室内機送風ファン駆動モータ１３によって室内機送風ファン１７を回転・駆動させることにより、吸込口５７を介して部屋６内の空気が室内機３内に吸い込まれる。上記室内機３内に吸い込まれた空気は、熱交換器１９を通過して加熱又は冷却された後、吹出口８５を介して上記部屋６に吹き出される。このような一連の作用において、筐体７内部では、専ら、ケーシング３５の内側の空気流通部３７内を空気が流通する。この空気流通部３７内には、例えば、室内機制御部４２や電装部品等が設置されておらず、空気の流通を阻害するものがなく、空気の流通が円滑に行われる。
【００４１】
そして、冷房を行う場合は、上記冷媒１３７は、上記室外機５のコンプレッサ１３９によって圧縮された後、上記室外機５の図示しない熱交換器によって冷却されて上記室外機側冷媒流出管１３５を介して上記室内機３の熱交換器１９に送られ、上記熱交換器１９の外側を流通する空気と熱交換する。それによって、空気は冷却されて室内に排気され、昇温・膨張した冷媒１３７は室外機側冷媒流入管１３３を介して再度上記室外機５のコンプレッサ１３９に戻る。以下、同様の循環を繰り返す。
【００４２】
また、暖房を行う場合は、図示しない電磁弁によって、上記冷媒１３７の循環する方向を、上記した冷房を行う場合とは逆にする。すなわち、上記室外機５のコンプレッサ１３９によって圧縮された上記冷媒１３７が上記室外機側冷媒流出管１３５を介して上記室内機３の熱交換器１９に送られ、上記室内機３の熱交換器１９において熱を奪われることで上記熱交換器１９の外側を流通する空気が加熱される。その後、熱を奪われた上記冷媒１３７は上記室外機側冷媒流入管１３３を介して上記室外機５に戻される。以下、同様の循環を繰り返す。
【００４３】
次に、細部の作用について説明する。
まず、図４に示すように、上記熱交換器１９のフィン２１と取付板２１′は外側に向かって、例えば、２°の下り勾配になるように傾斜されており、結露により上記熱交換器１９の表面に生じた水は、上記フィン２１と取付板２１′の傾斜に沿って外側に向かって移動し、ドレンパン３３に落下する。そして、落下して溜った水は、ドレン配管３３ａ、ドレンポンプ３３ｂによって排出される。
【００４４】
次に、「吹出回転体回転モード運転」、すなわち、上記吹出口８５の周方向きに応じて風力とルーバ角度を制御して、距離にかかわらず部屋６の隅まで風が到達するように制御する場合の作用を、図１４のフローチャートを参照して説明する。
この場合には、上記吹出回転体駆動モータ９９が「オン」され、吹出部４９の吹出回転体５０が回転・駆動され、上記吹出口８５の周方向位置が変化される。また、ルーバ駆動モータ８９が「オン」されてルーバ８７の傾斜角度が変化される。
【００４５】
まず、ステップＳ１において、エンコーダ１０４からの信号に基づいて吹出回転体５０の回転角度を算出し、吹出口８５の周方向位置を割り出す。
次に、ステップＳ２に移行して、上記割り出した吹出口８５の周方向位置に対応する室内機送風ファン駆動モータ１３の回転数とルーバ８７の角度をメモリ１２８から読み出す。
次に、ステップＳ３に移行して、読み出した室内機送風ファン駆動モータ１３の回転数とルーバ８７の角度に基づいて、室内機送風ファン駆動モータ１３及びルーバ駆動モータ８９を制御する。
次に、ステップＳ４に移行して、「吹出回転体回転運転モード」を継続するか否かを判別する。継続する場合には、ステップＳ１に戻り、同様の処理を繰り返す。これに対して、継続しない場合には、そのまま終了する。
なお、このような「吹出回転体回転モード運転」において、タイムラグをなくすために、エンコーダ１０４により検出される吹出口８５の位置に対して所定角度だけ先の角度のデータを読み出して出力することも考えられる。
なお、本実施の形態の空気調和機１は、「吹出回転体回転モード」以外の様々な運転モードに対応することができ、例えば、吹出回転体５０を特定の周方向位置に固定する「吹出回転体固定モード」、「吹出回転体回転モード」と「吹出回転体固定モード」を交互に繰り返す運転モードもあり、又、当然のことながら、温度センサ１２１を介して検出される温度に基づいて制御する運転モードもある。
【００４６】
また、前述したように、上記吹出口８５の周方向位置によって、室外機送風ファン駆動モータ１３８及びコンプレッサ駆動モータ１６３の回転数を制御して、冷房・暖房の強度を変化させることも考えられる。
また、これらの制御を組み合わせる場合もある。
【００４７】
次に、上記室内機３内部の清掃作業について説明する。
まず、吊り下げ部材１１１の下端側のボルト１１７を取り外す。これにより、上記室内機３から吸込・吹出ユニット４３とドレンパン３３が取り外される。
次に、ナット２０を除去して、室内機送風ファン１７を取り外す。
次に、ボルト１２を除去して、室内機送風ファン駆動モータ１３を取り外す。
次に、筐体７内の空気流通部３７側の清掃を行う。このとき、電装部品や吹出回転体駆動モータ９９はケーシング３５と上記筐体７との間の電装部品収納部４０に収容されているので、上記空気流通部３７側の清掃が容易である。
【００４８】
次に、この一実施の形態による効果について説明する。
まず、ケーシング３５によって、筐体７内を空気流通部３７と電装部品収納部４０に二分し、空気流通部３７とは隔離された電装部品収納部４０内に室内機制御部４２や電装部品を収納するようにしているので、空気流通部３７側におけるメンテナンスの容易化を図ることができる。
また、上記空気流通部３７内には、室内機制御部４２や電装部品等が設置されていないので、空気流通部３７における空気流の流動抵抗を低減させることができるとともに騒音を低減させることができる。
また、上記ケーシング３５はその側壁が略円弧形状をなしているので、これによっても、空気流通部３７における空気流の流動抵抗を低減させることができるとともに騒音を低減させることができる。
また、上記ケーシング３５の上記電装部品収納部４０側には断熱材が設置されているので、上記電装部品収納部４０における結露を防止することができる。
また、吹出回転体駆動モータ９９は防水構造になっているので、仮に、電装部品収納部４０内で結露が発生しても、それによって、吹出回転体駆動モータ９９としての機能が損なわれるようなことはない。
また、吸込部４５及び吹出部４９が吸込・吹出ユニット４３としてユニット化されていて、且つ、筐体３側に対して着脱可能な構成になっているので、組立・分解が容易である。
また、上記吸込・吹出ユニット４３は上記筐体７から吊り下げ部材１１１を介して垂下されているので、上記吸込・吹出ユニット４３の着脱は容易であり、それによって、メンテナンスの容易化を図ることができる。
また、上記室内機送風ファン１７は上記筐体７に室内機送風ファン駆動モータ１３を介して垂下されており、メンテナンス時には、上記吸込・吹出ユニット４３を撤去するとともに、室内機送風ファン１７及び室内機送風ファン駆動モータ１３についても容易に撤去できるので、メンテナンス、特に、熱交換器１９の洗浄作業等の容易化を図ることができる。
また、電装部品は電装部品収容部４０内に設置されていて空気の流れにさらされることはないので、電装部品に空気中の塵埃が付着するようなこともなく、塵埃の付着による汚れ、電気的な短絡等を防止することができる。
また、筐体７は、有底円筒を逆向きにした形状を成しており、例えば、矩形形状の筐体に比べて角部がない分、室内機３をコンパクト化することができる。
【００４９】
また、室内機送風ファン１７を全周にわたって取り囲むように熱交換器１９が設置されているので、熱交換能力を高めることができる。すなわち、上記熱交換器は、略環状に形成されたフィン２１と取付板２１′を上下方向に複数枚積層し、それら複数枚のフィン２１と取付板２１′を貫通するように冷媒用配管２３を通した構成になっていて、且つ、上記冷媒用配管２３の両端は冷媒流入部３１ａ、冷媒流出部３１ｂとなっていて、図５に示すように、最上位の取付板２１′を貫通し図５中真上に指向した状態で配置されているので、上記熱交換器１９の周方向の一部に熱交換に使用できない部分が発生するようなことはなく、上記熱交換器１９の全周にわたって熱交換を行うことができ、これにより熱交換能力を高めることができる。
また、上記フィン２１と取付板２１′は内周側から外周に至るまで一枚物であるので、従来の内外二重構造の場合のように、流路が狭められるようなことはなく、流動抵抗の増大に起因した熱交換能力の低下を防止することができる。
また、フィン２１と取付板２１′は内周側から外周側に向けて下り勾配で傾斜しているので、結露した水滴は外周側に配置されているドレンパン内に確実に排出される。
また、上記熱交換器１９は、平面視略八角形の形状をなしているので、比較的簡易な構成により環状に近い所望の熱交換器を得ることができる。
また、上記フィン２１は、図７、図８に示すように、形状の異なる３種類のフィン要素２１ａ、２１ｂ、２１ｃを連接することにより八角形の１／４が構成され、それを４組連接することにより構成されているので、所望の熱交換器を歩留まり良く容易に製造することができる。
また、積層された上記フィン２１と取付板２１′を貫通するのは冷媒用配管２３の内のＵ字管の直線部分のみであり貫通部に屈曲管が配置されることはないので、精度の高い組立が可能となる。
また、上記熱交換器１９の上下には断熱材２５ａ、２５ｂが設置されていて、上記複数本の屈曲管はこれら断熱材２５ａ、２５ｂに覆われているので、これによっても熱交換能力を高めることができる。
【００５０】
また、上記吹出回転体５０を回転させることにより上記吹出口８５を周方向の任意の方向に向けることができるので、部屋６内の全ての場所に対して冷気／暖気を送ることができ、また、方向毎に異なった冷房・暖房を施すことができる。
また、上記吹出回転体５０の回転に伴い上記吹出口８５から部屋６の隅までの距離に応じて上記室内機送風ファン駆動モータ１３の回転数を加減制御するようにした場合には、上記吹出口８５から部屋６の隅までの距離に応じた適切な冷房／暖房を施すことができる。
また、上記吹出口８５にはルーバ８７が回転可能に設置されていて、上記吹出口８５から部屋６の隅までの距離に応じて、ルーバ８７の角度を制御するようにした場合には、それによっても、上記吹出口８５から部屋６の隅までの距離に応じた適切な冷房／暖房を施すことができる。
なお、上記吹出口８５から部屋６の隅までの距離に応じて、上記コンプレッサ駆動モータ１６３、室外機送風ファン駆動モータ１３８の回転数（或いはＯＮ／ＯＦＦ）を制御するようにした場合には、上記吹出口８５から部屋６の隅までの距離に応じて、冷房／暖房の強度についても制御することができ、さらに、効果的な冷房／暖房を施すことができる。
また、冷気／暖気の風力／風向を、風力インジケータ６５ａ、６５ｂ、６５ｃ、６５ｄを介して知ることができる。
【００５１】
なお、本発明は、前記一実施の形態に限定されない。
まず、前記一実施の形態においては、ケーシングをその側壁部が略円弧形状をなすものとして構成したが、それに限定されるものではなく、様々な形状のケーシンクが考えられる。
また、前記一実施の形態の場合には、吸込口・吹出口ユニットを、吸込部と吹出部を上部プレートによって一体化させたものとして構成したが、それに限定されるものではなく、例えば、吸込部と吹出部を別々に筐体に固定するようにしてもよい。
また、前記一実施の形態の場合には、ケーシング、吸込口・吹出口ユニットについても、筐体から吊り下げるように構成したが、それに限定されるものではなく、様々な取付構造が考えられる。
また、前記一実施の形態の場合は、熱交換器のフィンの積層数を１６としたが、それに限定されるものではなく、様々な積層数が考えられる。
また、前記一実施の形態の場合には、熱交換器を平面視八角形に構成したが、それに限定されるものではなく、様々な形状が考えられる。
また、前記一実施の形態の場合には、熱交換器を筐体から吊り下げるようにしたがそれに限定されるものではなく、様々な取付構造が考えられる。
また、前記一実施の形態の場合には、吹出口の大きさ・形状を、平面視９０°の円弧形状としたが、それに限定されるものでなく、例えば、例えば、平面視３０°〜１２０°の範囲の任意の角度で円弧形状に設けることが考えられ、その他、様々な大きさ・形状が考えられる。
また、前記一実施の形態の場合には、予め入力されている部屋の情報に基づいて、距離を算出するようにしているが、その他、赤外線、超音波、等を使用して距離を計測しても良い。
また、前記一実施の形態の場合には、吹出口の周方向位置に対応した室内機送風ファン駆動モータの回転数、ルーバ角度を予め決定・記憶しておくようにかしたが、吹出回転体を回転させながらその都度決定していくようにしてもよい。
また、使用者がリモコンを用いて、吹出口の周方向位置に対応した室内機送風ファン駆動モータの回転数、ルーバ角度を入力して記憶させるようにしてもよい。
その際、室内機送風ファン駆動モータの回転数が、例えば、「強」、「中」、「弱」と設定されていた場合、吹出口の周方向位置によって「強」、「中」、「弱」の何れかに設定することが考えられる。同様に、ルーバ角度についても、例えば、「下」、「斜め」、「横」と設定されていた場合、吹出口の周方向位置によって、「下」、「斜め」、「横」何れかに設定することが考えられる。
その他、本願発明は図示した構成に限定されるものではなく、様々な変形が考えられる。
【産業上の利用可能性】
【００５２】
本発明は、例えば、天井埋込型の空気調和機の室内機に係り、特に、電装部品を筐体内の空気が流通する箇所とは別の箇所に隔離しメンテナンスの容易化を図ることができるように工夫したものに関し、例えば、業務用の空気調和機の室内機に好適である。
【符号の説明】
【００５３】
３  室内機
７  筐体
１７  室内機送風ファン（送風ファン）
１９  熱交換器
３５  ケーシング
３７  空気流通部
３９  電装部品収納部
４３  吸込・吹出ユニット
４５  吸込部
４９  吹出部
５０  吹出回転体
８５  吹出口
【図１】
2017207267.tif 000005
【図２】
2017207267.tif 000006
【図３】
2017207267.tif 000007
【図４】
2017207267.tif 000008
【図５】
2017207267.tif 000009
【図６】
2017207267.tif 000010
【図７】
2017207267.tif 000011
【図８】
2017207267.tif 000012
【図９】
2017207267.tif 000013
【図１０】
2017207267.tif 000014
【図１１】
2017207267.tif 000015
【図１２】
2017207267.tif 000016
【図１３】
2017207267.tif 000017
【図１４】
2017207267.tif 000018
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
筐体と、  筐体の下面中央部に設けられた吸込部と、  上記筐体の上記吸込部の外周側に設けられた吹出部と、  上記筐体内であって上記吸込部の上方に設置された送風ファンと、  上記筐体内であって上記吸込部と上記吹出部の間に設けられた熱交換器と、  上記筐体内であって上記熱交換器の外周側に同芯状に配置され内側を空気流通部とし外側を電装部品収納部とするケーシングと、  を具備したことを特徴とする空気調和機の室内機。
【請求項２】
請求項１記載の空気調和機の室内機において、  上記ケーシングはその側壁が略円弧形状をなしていることを特徴とする空気調和機の室内機。
【請求項３】
請求項１又は請求項２記載の空気調和機の室内機において、  上記ケーシングの上記電装部品収納部側には断熱処理が施されていることを特徴とする空気調和機の室内機。
【請求項４】
請求項１〜請求項３の何れかに記載の空気調和機の室内機において、  上記吸込部と上記吹出部は吸込・吹出ユニットとしてユニット化されていて、この吸込・吹出ユニットが上記筐体に対して着脱可能に構成されていることを特徴とする空気調和機の室内機。
【請求項５】
請求項４記載の空気調和機の室内機において、  上記吸込・吹出ユニットは上記筐体から直接又は間接に垂下されていることを特徴とする空気調和機の室内機。
【請求項６】
請求項５記載の空気調和機の室内機において、  上記送風ファンは上記筐体から直接又は間接に垂下されていることを特徴とする空気調和機の室内機。
【手続補正２】
【補正対象書類名】明細書
【補正対象項目名】０００７
【補正方法】変更
【補正の内容】
【０００７】
上記目的を達成するべく本発明の請求項１による空気調和機の室内機は、筐体と、筐体の下面中央部に設けられた吸込部と、上記筐体の上記吸込部の外周側に設けられた吹出部と、上記筐体内であって上記吸込部の上方に設置された送風ファンと、上記筐体内であって上記吸込部と上記吹出部の間に設けられた熱交換器と、上記筐体内であって上記熱交換器の外周側に同芯状に配置され内側を空気流通部とし外側を電装部品収納部とするケーシングと、を具備したことを特徴とするものである。  また、請求項２による空気調和機の室内機は、請求項１記載の空気調和機の室内機において、上記ケーシングはその側壁が略円弧形状をなしていることを特徴とするものである。  また、請求項３による空気調和機の室内機は、請求項１又は請求項２記載の空気調和機の室内機において、上記ケーシングの上記電装部品収納部側には断熱処理が施されていることを特徴とするものである。  また、請求項４による空気調和機の室内機は、請求項１〜請求項３の何れかに記載の空気調和機の室内機において、上記吸込部と上記吹出部は吸込・吹出ユニットとしてユニット化されていて、この吸込・吹出ユニットが上記筐体に対して着脱可能に構成されていることを特徴とするものである。  また、請求項５による空気調和機の室内機は、請求項４記載の空気調和機の室内機において、上記吸込・吹出ユニットは上記筐体から直接又は間接に垂下されていることを特徴とするものである。  また、請求項６による空気調和機の室内機は、請求項５記載の空気調和機の室内機において、上記送風ファンは上記筐体から直接又は間接に垂下されていることを特徴とするものである。